(57)【要約】【課題】  装置間で録画指示を行う際に、録画が失敗することを抑制することのできる情報処理装置及び表示装置を提供する。【解決手段】  放送信号を受信するチューナと、映像信号を出力すると共に、動作制御用の各種コマンドを入出力するためのコネクタと、各種コマンドをコネクタ経由で送受信するコマンド制御手段であって、他の装置から録画開始コマンド受信すると、録画用アプリケーションを起動させて、チューナで受信する放送信号の映像を録画するコマンド制御手段と、コマンド制御手段からの指示に応じて録画される映像データを再生可能な再生手段と、再生手段で映像データを再生して得られる映像信号をコネクタから他の装置に出力させる表示制御手段とを備える。【選択図】      図５
2010130642.tif 000002
【特許請求の範囲】
【請求項１】
放送信号を受信するチューナと、
映像信号を出力すると共に、動作制御用の各種コマンドを入出力するためのコネクタと、
前記各種コマンドを前記コネクタ経由で送受信するコマンド制御手段であって、他の装置から録画開始コマンド受信すると、録画用アプリケーションを起動させて、前記チューナで受信する放送信号の映像を録画するコマンド制御手段と、
前記コマンド制御手段からの指示に応じて録画される映像データを再生可能な再生手段と、
前記再生手段で映像データを再生して得られる映像信号を前記コネクタから前記他の装置に出力させる表示制御手段と
を備えることを特徴とする情報処理装置。
【請求項２】
前記コマンド制御手段は、録画チャネルに関する周波数情報を伴う録画開始コマンドの受信に伴い、該周波数情報を前記録画用アプリケーションに出力して前記録画チャネルの放送信号の映像を録画させること
を特徴とする請求項１記載の情報処理装置。
【請求項３】
前記コマンド制御手段は、録画停止コマンドを受信すると、前記録画用アプリケーションの録画動作を停止すると共に、前記録画用アプリケーションのチャネル設定を、録画開始前の設定に戻すこと
を特徴とする請求項２記載の情報処理装置。
【請求項４】
前記録画用アプリケーションは、前記コマンド制御手段で受信した前記周波数情報を伴う録画開始コマンドに応じて、前記周波数情報に基づく録画チャネルの放送信号の映像を録画すると共に、該録画以外のチャネル設定は維持すること
を特徴とする請求項２記載の情報処理装置。
【請求項５】
前記録画用アプリケーションは、前記コマンド制御手段で受信した前記周波数情報に基づき、全チャネルの設定を変更すること
を特徴とする請求項２記載の情報処理装置。
【請求項６】
映像信号を受信すると共に、動作制御用の各種コマンドを入出力するためのコネクタと、
リモートコントローラから録画コマンドを受信するリモコン信号受信手段と、
前記各種コマンドを前記コネクタ経由で送受信するコマンド制御手段であって、前記録画コマンドの受信に伴い、録画チャネルに関する周波数情報を伴う録画開始コマンドを送信するコマンド制御手段と、
前記コネクタを経由して受信した映像信号を表示する表示手段と
を備えることを特徴とする表示装置。
【請求項７】
前記コマンド制御手段は、全チャネルに関する周波数情報を伴う録画開始コマンドを送信すること
を特徴とする請求項６記載の表示装置。
【請求項８】
前記リモコン信号受信手段は、前記リモートコントローラから録画停止を指示するコマンドを受信し、
前記コマンド制御手段は、前記録画停止を指示するコマンドの受信に伴い、録画停止コマンドを送信すること
を特徴とする請求項６記載の表示装置。
【発明の詳細な説明】
【技術分野】
【０００１】
本発明は、情報処理装置及び表示装置に関する。
【背景技術】
【０００２】
近年、テレビジョン放送番組データを受信・視聴したり、録画したりする機能を有するパーソナルコンピュータが普及しつつある。これにより、例えばバッテリ駆動可能なノートブック型のパーソナルコンピュータを携行すれば、移動中や外出先でも、映像データを視聴・録画できるようになっている。
【０００３】
しかしながら、可搬型のパーソナルコンピュータで録画を実行する場合には、地域によってチャネル設定が異なることがある。例えば特許文献１には、ネットワークを介して、チャンネル設定情報等を機器間で送信可能とすることが開示されている。
【特許文献１】特開２００７−２０１７３４号公報
【発明の開示】
【発明が解決しようとする課題】
【０００４】
ところで、パーソナルコンピュータとテレビジョン放送受信機とを接続する場合のように、複数の電子機器を接続する場合、１つの電子機器に対する操作で、全ての電子機器を操作することができれば、（例えばリモートコントローラの利用等を考慮すれば）その使い勝手を飛躍的に向上させることができる。例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）に対応した機器間では、制御信号を互いに通信することができ、１つのリモートコントローラ（以下、リモコンとも称する）での操作で複数の電子機器を制御することができるようになっている。ＨＤＭＩ−ＣＥＣでは、録画コマンドについても規定されており、該コマンドに対応した機器間では、例えばユーザは、ＤＴＶ（Ｄｉｇｉｔａｌ  ＴＶ）のリモコンで録画開始を出すだけで、ＨＤＭＩ−ＣＥＣ経由で録画機器に対する録画を開始させることができるようになる。
【０００５】
しかしながら、かかる場合に、操作対象の機器（たとえばＤＴＶ）と録画機器とでチャネル設定が異なる場合には、ユーザの意図した番組とは異なる番組が録画されることがある。可搬型のパーソナルコンピュータ等を録画機器として用いる場合には、この問題は特に顕著となる。特許文献１においても、機器間での録画指示を行う際の、チャネル設定の相違に基づく録画失敗に係る問題については何ら考慮されていない。
【０００６】
また、ＨＤＭＩ−ＣＥＣコマンドはＨＤＤレコーダ等の専用機を対象に考えられているので、パーソナルコンピュータを録画機器として用いる場合には、アプリケーションが起動していない場合には、録画することができないという課題もある。
【０００７】
そこで本発明は、装置間で録画指示を行う際に、録画が失敗することを抑制することのできる情報処理装置及び表示装置を提供することを目的とする。
【課題を解決するための手段】
【０００８】
上記目的を達成するために、本発明の情報処理装置は、放送信号を受信するチューナと、映像信号を出力すると共に、動作制御用の各種コマンドを入出力するためのコネクタと、前記各種コマンドを前記コネクタ経由で送受信するコマンド制御手段であって、他の装置から録画開始コマンド受信すると、録画用アプリケーションを起動させて、前記チューナで受信する放送信号の映像を録画するコマンド制御手段と、前記コマンド制御手段からの指示に応じて録画される映像データを再生可能な再生手段と、前記再生手段で映像データを再生して得られる映像信号を前記コネクタから前記他の装置に出力させる表示制御手段とを備えることを特徴とする。
【０００９】
本発明の表示装置は、映像信号を受信すると共に、動作制御用の各種コマンドを入出力するためのコネクタと、リモートコントローラから録画コマンドを受信するリモコン信号受信手段と、前記各種コマンドを前記コネクタ経由で送受信するコマンド制御手段であって、前記録画コマンドの受信に伴い、録画チャネルに関する周波数情報を伴う録画開始コマンドを送信するコマンド制御手段と、前記コネクタを経由して受信した映像信号を表示する表示手段とを備えることを特徴とする。
【発明の効果】
【００１０】
本発明によれば、装置間で録画指示を行う際に、録画が失敗することを抑制することのできる情報処理装置及び表示装置を提供することができる。
【発明を実施するための最良の形態】
【００１１】
以下、本発明の情報処理装置及び表示装置の一例である実施形態について、図面を参照しながら説明する。
図１に、本実施形態に係る情報処理装置及び表示装置の一利用形態を示す。この実施形態において、情報処理装置１は、可搬性のノートブック型パーソナルコンピュータ（ＰＣ）等として実現されている。また、表示装置２は、ＤＴＶ（Ｄｉｇｉｔａｌ  ＴＶ）として実現されている。尚、情報処理装置や表示装置の利用形態はこれに限られるものではない。
【００１２】
図１に示すように、ここでは、情報処理装置１を表示装置２とケーブル３で接続可能である場合を想定する。本実施形態では、情報処理装置１と表示装置２とを接続するケーブル３は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルであるものとする。
【００１３】
情報処理装置１には、種々のソフトウェア（アプリケーションプログラム）がインストールされており、例えば、受信した地上デジタルテレビ放送をＨＤＤ等の記録媒体に記録（録画）するソフトウェアや、内蔵するＨＤＤ（Ｈａｒｄ  Ｄｉｓｋ  Ｄｒｉｖｅ）や、ＤＶＤ（Ｄｉｇｉｔａｌ  Ｖｅｒｓａｔｉｌｅ  Ｄｉｓｋ）等に記録された映像データを再生するソフトウェア等がインストールされている。これにより、チューナで受信した番組を録画したり、それを再生して情報処理装置１上や、表示装置２で楽しんだりすることができる。尚、本実施例においては、受信した放送を映像データとして録画する機能と、録画した映像データを再生する機能とは、同じ録画アプリケーションで実現するものとして説明を行うが、其々別アプリケーションで実装するようにしても良い。
【００１４】
上述のＨＤＭＩケーブル３で接続される情報処理装置１と表示装置２とは、当該ＨＤＭＩケーブル３を介して映像信号及び音声信号を伝送可能なだけではなく、ＨＤＭＩ−ＣＥＣにより、制御信号も伝送可能であるものとする。リモートコントローラ２Ａ（リモコン２Ａ）を使った表示装置２での操作に応じて、表示装置２が各処理に応じた制御信号（制御コマンド）を情報処理装置１へ送信することにより、結果として、リモコン２Ａを用いた情報処理装置１の制御が可能となる。本実施形態においては特に、リモコン２Ａを用いた録画指示の際に、表示装置２と情報処理装置１とのチャネル設定の相違により、ユーザが意図しない番組が情報処理装置２で録画されてしまうことによる録画失敗を抑制できるようにする仕組みを提供する。
【００１５】
ここで、ＨＤＭＩ−ＣＥＣで伝送される映像信号はソース側の装置である情報処理装置１からシンク側の装置である表示装置２への一方向に伝送されるが、制御信号は、情報処理装置１及び表示装置２の間で双方向に通信可能である。
【００１６】
図２は、情報処理装置１の構成を示す図である。図１に示すように、情報処理装置１は、ＣＰＵ（Ｃｅｎｔｒａｌ  Ｐｒｏｃｅｓｓｉｎｇ  Ｕｎｉｔ）１１、ノースブリッジ１２、主メモリ１３、グラフィックスコントローラ１４、ＶＲＡＭ１４Ａ、ディスプレイ１５、サウスブリッジ１６、ＢＩＯＳ−ＲＯＭ１７、ＨＤＤ１８、光ディスク駆動装置（ＯＤＤ）１９、サウンドコントローラ２０、スピーカ２１、エンベデッドコントローラ／キーボードコントローラ（ＥＣ／ＫＢＣ）２２、キーボード２３、タッチパッド２４、ＴＶチューナ２５、ＨＤＭＩコネクタ２６、及びＣＥＣコントローラ２７を備えている。
【００１７】
ＣＰＵ１１は、情報処理装置１内の各部の動作を制御するプロセッサである。ＣＰＵ１１は、ＨＤＤ１８内から主メモリ１３にロードされるオペレーティングシステム（ＯＳ）１００や、ＨＤＭＩ−ＣＥＣでの制御信号の通信や、ＨＤＭＩ−ＣＥＣの制御信号に基づく各種制御を実行するためのＨＤＭＩ−ＣＥＣマネージャ１０１も、同様にＣＰＵ１１を実行する。この他、各種ユーティリティやＡＶコンテンツデータを扱うアプリケーション（例えば、録画アプリケーション１０２）も、同様にＣＰＵ１１により実行される。ＨＤＭＩ−ＣＥＣマネージャ１０１及び録画アプリケーション１０２の構成及び機能の詳細については、図３及び図５を参照しながら後述する。
【００１８】
また、ＣＰＵ１１は、ＢＩＯＳ−ＲＯＭ１７に格納された基本入出力システム（ＢＩＯＳ）も実行する。尚以下では、このＢＩＯＳ−ＲＯＭ１７に格納された基本入出力システム自体をＢＩＯＳ１７と称することがある。
【００１９】
ノースブリッジ１２は、ＣＰＵ１１のローカルバスとサウスブリッジ１６との間を接続するブリッジデバイスである。ノースブリッジ１２は、バスを介してグラフィックスコントローラ１４との通信を実行する機能を有しており、また、主メモリ１３をアクセス制御するメモリコントローラも内蔵している。
【００２０】
グラフィックスコントローラ１４は、情報処理装置１側のディスプレイ１５を制御する表示コントローラである。グラフィックスコントローラ１４は、ＶＲＡＭ１４Ａに書き込まれた画像データからディスプレイ１５に送出すべき映像信号を生成する。グラフィックスコントローラ１４は、映像信号をＨＤＭＩコネクタ２６から外部出力する機能も有している。
【００２１】
サウスブリッジ１６は、ＰＣＩバス及びＬＰＣバス上の各種デバイスを制御するコントローラである。また、このサウスブリッジ１６には、ＢＩＯＳ−ＲＯＭ１７、ＨＤＤ１８、ＯＤＤ１９及びサウンドコントローラ２０が直接的に接続され、これらを制御する機能も有している。ＨＤＤ１８には、例えば録画アプリケーション１０２により録画されたテレビジョン放送番組データ（映像データ）やインターネット経由でダウンロードされたＡＶコンテンツ等が格納される。ＯＤＤ１９には、ＡＶコンテンツデータを格納した例えばＤＶＤ等が収容される。
【００２２】
サウンドコントローラ２０は、スピーカ２１を制御する音源コントローラである。サウンドコントローラ２０は、音声信号をＨＤＭＩコネクタ２６から外部出力する機能も有している。
【００２３】
ＥＣ／ＫＢＣ２２は、電源管理のためのエンベデッドコントローラと、キーボード２３及びタッチパッド２４を制御するためのキーボードコントローラとが集積された１チップマイクロコンピュータである。ＥＣ／ＫＢＣ２２は、情報処理装置１が電源オフ中も動作し、例えば電源オン動作が行われていないか等を監視し、電源オンすべきイベントが発生したら、情報処理装置１を起動させるための制御を実行する。ＥＣ／ＫＢＣ２２は、ＣＥＣコントローラ２７に対する電力供給についても、情報処理装置１の電源オフ中も継続して行う。
【００２４】
ＴＶチューナ２５は、図示しないアンテナに電気的に接続されて、地上デジタルテレビ放送の放送信号を受信するためのチューナである。録画アプリケーション１０２が録画を実行する際には、ＴＶチューナ２５は受信周波数を録画チャネルに係る周波数に合わせて放送信号を受信し、必要なデータ（映像データ、音声データ、データ放送用データ等）を出力する。
【００２５】
ＨＤＭＩコネクタ２６は、ＨＤＭＩケーブル３を着脱自在に接続するために設けられる端子である。そして、ＣＥＣコントローラ２７は、ＥＣ／ＫＢＣ２２の制御下で、ＨＤＭＩコネクタ２６を介して動作制御用の各種コマンド（制御信号）を送受信するためのデータ転送制御を実行する。ここで、ＣＥＣコントローラ２７で受信されるコマンドとしては、例えば、録画開始コマンドや、録画停止コマンド等が挙げられる。本実施形態においては、録画開始コマンドには、録画すべきチャネルの周波数に係る情報（以下、周波数情報とも称する）も含むものとする。ここで、周波数情報は、チャネルの中心周波数を直接指定するものであっても良いし、放送用チャネル番号を指定するものであっても良く、或いは、予め表示装置２と情報処理装置１との間で各周波数帯に割り当てたインデックスであっても良い。即ち、周波数情報は、情報処理装置１が、録画すべき周波数帯がわかるように構成されていれば、如何なる構成をとるようにしていても良い。
【００２６】
図３は、このような構成の情報処理装置１において実現される、映像データの録画及び再生に関する機能ブロックを示す図である。尚、上述の通り、録画アプリケーション１０２は、録画機能のみならず再生機能も有するものとして説明しているが、これに限られるものではない。
【００２７】
前述したように、ＨＤＭＩケーブル３で接続される表示装置２側で録画を指示する操作（例えば、リモコン２Ａに設けられた所定ボタンの押下）が行われると、録画を指示する録画開始コマンド（制御信号）が表示装置２から情報処理装置１へ送信される。この録画開始コマンドは、上述の通り、録画すべき録画チャネルの周波数情報を含むものである。同様に、表示装置２側で録画を停止する操作が行われた場合には、録画停止を指示する録画停止コマンド（制御信号）が表示装置２から情報処理装置１へ送信される。録画開始コマンドや録画停止コマンドは、ＨＤＭＩコネクタ２６を介して情報処理装置１内に導かれ、ＣＥＣコントローラ２７によって受信されて、当該コマンドの受信がＫＣ／ＫＢＣ２２に通知される。
【００２８】
この通知を受けると、ＥＣ／ＫＢＣ２２は、録画開始（周波数情報を含む）や録画停止のための所定のキーコードを発生させる。このキーコードは、ＢＩＯＳ１７を介してＯＳ１００に渡され、更にこのＯＳ１００からＨＤＭＩ−ＣＥＣマネージャ１０１に渡される。
【００２９】
ＨＤＭＩ−ＣＥＣマネージャ１０１は、録画開始コマンド（に係るキーコード）を受け取ると、ＯＳ１００を介して録画アプリケーション１０２が起動しているか否かを問合せ、起動していなければ録画アプリケーション１０２を起動させる。更に、録画アプリケーション１０２に録画開始を指示すると共に、併せて周波数情報をパラメータとして渡すことにより、録画アプリケーション１０２に、当該周波数情報として指定された録画チャネルの番組の録画を開始させる。
【００３０】
また、ＨＤＭＩ−ＣＥＣマネージャ１０１は、録画停止コマンド（に係るキーコード）を受け取ると、録画アプリケーション１０２にその旨を通知して、録画処理を終了させる。
【００３１】
録画アプリケーション１０２は、ＨＤＭＩ−ＣＥＣマネージャ１０１から録画を指示されると、パラメータとして受け取った周波数情報に係るチャネルの映像を録画してＨＤＤ１８への録画を開始する。ここで、本実施例においては、録画するチャネルのみの周波数を周波数情報に基づいて変更し、残りのチャネルの設定は維持するものとする。これにより、例えば、チューナが複数ある場合等に、当該録画に使用する以外のチューナで設定された録画予約や視聴予約が失敗することを避けることができる。かかる設定方法は、特に、２以上の異なる周波数設定の放送を受信可能な地域で有効である。
【００３２】
録画アプリケーション１０２は、録画中の、又は録画済みの映像データを映像信号へと再生（復号）する機能も有している。映像データを復号して得られる映像信号は、ＯＳ１００が有するディスプレイドライバ１００Ａへと渡される。ディスプレイドライバ１００Ａは、設定に応じて、内蔵ディスプレイ１５又はＨＤＭＩコネクタ２６に当該映像信号を出力する。出力先がＨＤＭＩコネクタ２６となっている場合には、該映像信号はケーブル３を介して表示装置２へと出力され、表示装置２には、録画中の、又は録画済の映像データの映像が表示されることとなる。
【００３３】
このように、本実施形態の情報処理装置１では、録画開始コマンドと共に受け取る周波数情報に基づいて録画チャネルを決定し、当該録画チャネルを録画するので、たとえ、録画開始前の録画アプリケーション１０２のチャネル設定が表示装置２とは異なっている場合であっても、ユーザの意図しない周波数帯のチャネルが録画されることを抑制することができる。更に、それを再生して映像信号として出力可能であるので、意図するチャネルが録画されているか否かを、情報処理装置１を直接操作せずとも（表示装置２のリモコン２Ａを操作して）確認可能であるので、簡易に録画が成功しているか否かを確認することができる。
【００３４】
続いて、図４を参照しながら、表示装置２の構成について説明する。図４は、本実施形態に係る表示装置２の構成を示すブロック図である。
表示装置２は、チューナ２０１、映像処理部２０３、ＨＤＭＩコネクタ２０５、セレクタ２０７、表示出力処理部２０９、表示部２１１、ＣＰＵ２１３、メモリ２１５、ＣＥＣコントローラ２１７、赤外線受光ユニット２１９、及び操作部２２１等を備えている。各部は、バス２２３によって相互に接続される。尚、図４では図示していないが、表示装置２はこの他、音声出力に関係する音声処理部、スピーカ等も備える。
【００３５】
チューナ２０１は、図示しないアンテナを介して地上デジタルテレビ放送波（放送信号）を受信し、放送波を復調して、受信チャネルに係る番組の映像データを出力する。映像処理部２０３は、チューナ２０１から出力された映像データを映像信号へとデコード（復号）する。
【００３６】
ＨＤＭＩコネクタ２０５は、ＨＤＭＩケーブル３を着脱自在に接続するために設けられる端子であり、情報処理装置１からの映像信号を受信すると共に、ＨＤＭＩ−ＣＥＣに基づく制御信号（コマンド）を送受信可能である。セレクタ２０７は、チューナ２０１で受信した放送の映像信号、若しくはＨＤＭＩコネクタ２０５で受信された映像信号のいずれの映像信号を出力するかを選択するために設けられる。
【００３７】
表示出力処理部２０９は、セレクタ２０７から出力された映像信号（チューナ２０１で受信した放送波に関する映像の映像信号、又はＨＤＭＩコネクタ２０５で受信した映像信号）を表示用の表示信号に変換して出力する。表示部２１１は、表示出力処理部２０９の出力をＬＣＤ（Ｌｉｑｕｉｄ  Ｃｒｙｓｔａｌ  Ｄｉｓｐｌａｙ）等の表示画面に表示する。
【００３８】
ＣＰＵ２１３は、表示装置２内の各部を制御する。メモリ２１５は、ＣＰＵ２１３で処理されるメモリを一時的に記憶したり、ファームウェアを記憶したりするために使用される。
【００３９】
ＣＥＣコントローラ２１７は、ＨＤＭＩコネクタ２０５を介して動作制御用の各種コマンド（制御信号）を送受信するためのデータ転送制御を実行する。ここでＣＥＣコントローラ２１７が送信するコマンドとしては、例えば、録画を指示する録画開始コマンドや、録画停止を指示する録画停止コマンド等が挙げられる。ここで、上述の通り、ＣＥＣコントローラ２１７から出力する録画開始コマンドには、録画チャネルに関する周波数情報が含まれる。
【００４０】
赤外線受光ユニット２１９は、リモコン２Ａから赤外線信号を用いて送信される命令（コマンド）を受信する。操作部２２１は複数のスイッチ等からなる。ＣＰＵ２１３は、赤外線受光ユニット２１９で受信した命令や、操作部２２１での操作内容に応じて、各種制御を行う。特に、ＣＥＣコントローラ２１７から情報処理装置１への録画開始コマンドや録画停止コマンドの送信は、赤外線受光ユニット２１９で受信するリモコン２Ａからの命令や、操作部２２１での操作に応じて、ＣＰＵ２１３による制御の下で行われる。このとき、情報処理装置１へ録画を指示する周波数情報に係る録画チャネルは、ユーザが直接指定するようにしても良いし、現在、表示装置２で表示中のチャネルを指定するようにしても良い。
【００４１】
このように、表示装置２は録画開始コマンド送出時に、録画させる周波数情報も合わせて送信するようにしているので、チャネル設定が情報処理装置１側と異なる場合であっても、ユーザが意図しないチャネルの番組が録画されることを抑制することができる。
【００４２】
次に、図５を参照しながら、情報処理装置１及び表示装置２の処理の流れを説明する。図５は、情報処理装置１及び表示装置２の処理の流れを示すフローチャートである。
【００４３】
リモコン２Ａによって、情報処理装置１の録画を開始する録画操作が行われると、表示装置２の赤外線受光ユニット２１９は、録画コマンドを受信することとなる。録画コマンドを赤外線受光ユニット２１９で受信すると（ステップＡ５０２のＹｅｓ）、ＣＰＵ２１３の制御の下、ＣＥＣコントローラ２１７は、ＨＤＭＩコネクタ２０５を介して録画開始コマンドを送信する（ステップＡ５０２）。尚このとき、録画チャネルに係る周波数情報も、録画開始コマンドと共に送信する。
【００４４】
情報処理装置１は、録画開始コマンドをＣＥＣコントローラ２７で受信すると（ステップＢ５０１）、それをＨＤＭＩ−ＣＥＣマネージャ１０１へ伝える。この情報の中には、先述の録画チャネルに関する周波数情報も含まれる。
【００４５】
ＨＤＭＩ−ＣＥＣマネージャ１０１は、ＯＳ１００に問い合わせて、録画アプリケーション１０２が起動済みであるか否かを確認する（ステップＢ５０２）。録画アプリケーション１０２が録画済みでなければ（ステップＢ５０２のＮｏ）、ＨＤＭＩ−ＣＥＣマネージャ１０１は、録画アプリケーション１０２を起動させる（ステップＢ５０３）。
【００４６】
録画アプリケーション１０２の起動後（ステップＢ５０２のＹｅｓ、又はステップＢ５０３）、ＨＤＭＩ−ＣＥＣマネージャ１０１は、録画アプリケーション１０２に対して録画指示のコマンドを発行する。この際、録画チャネルに関する周波数情報も引数（パラメータ）等の形で録画アプリケーション１０２に通知する。録画アプリケーション１０２は、該ＨＤＭＩ−ＣＥＣマネージャ１０１からのコマンドに従い、録画チャネルの周波数設定を変更し（ステップＢ５０４）、変更した周波数帯のチャネルの映像データをＴＶチューナ２５から受信してＨＤＤ１８へ記録する録画処理を開始する（ステップＳ５０５）。この録画している映像データは、録画しながら、又は、録画完了後に、録画アプリケーション１０２で再生可能であり、再生して得られる映像信号はケーブル３から表示装置２へ出力して、該映像を表示装置２で表示可能である。
【００４７】
録画開始後、リモコン２Ａによって録画停止操作が行われると、表示装置２の赤外線受光ユニット２１９は録画停止コマンドをリモコン２Ａから受信することとなる。録画停止に係るコマンドを赤外線受光ユニット２１９で受信すると（ステップＡ５０３）、ＣＰＵ２１３の制御の下、ＣＥＣコントローラ２１７は、ＨＤＭＩコネクタ２０５を介して録画停止コマンドを送信する（ステップＡ５０４）。
【００４８】
情報処理装置１は、録画停止コマンドをＣＥＣコントローラ２７で受信すると（ステップＢ５０６）、それをＨＤＭＩ−ＣＥＣマネージャ１０１へ伝える。ＨＤＭＩ−ＣＥＣマネージャ１０１は、当該録画停止コマンドに応じて、録画アプリケーション１０２に対して録画を停止させるためのコマンドを発行する。録画アプリケーション１０２は、当該コマンドを受けて、録画処理を停止すると共に（ステップＢ５０７）、チャネル設定を録画開始前（ステップＢ５０６前）に戻す（ステップＢ５０８）。
【００４９】
以上説明したように、本実施例によれば、ＨＤＭＩ−ＣＥＣによる表示装置２からの録画指示時に、ＨＤＭＩ−ＣＥＣマネージャ１０１が録画アプリケーション１０２を起動させるようにしているので、たとえ録画アプリケーション１０２が起動していなくとも、確実に録画をすることができる。
【００５０】
また、表示装置２から情報処理装置１への、ＨＥＭＩ−ＣＥＣを介した録画指示時に、録画チャネルに係る周波数情報も合わせて通知するようにしているので、表示装置２と情報処理装置１とのチャネル設定が相違する場合であっても、ユーザが意図しないチャネルが録画されることを抑制することができる。
【００５１】
さらに、録画終了（停止）後、チャネル設定を戻すようにしているので、ユーザが意図しないチャネル設定の変更に伴う、ユーザがチャネル設定を戻す操作を行わずに済む。
【００５２】
この他、録画チャネルに関する部分のみ、周波数情報を用いて設定を変更するようにしているので、例えば複数チューナを持っている場合等に、他の録画設定等に影響を与えずに済む。
【００５３】
尚、本実施形態においては、録画チャネルに係る設定のみを変更するようにしているが、これに限られるものではなく、例えば全チャネルに関するチャネル設定を変更するようにしても良い。この場合、周波数情報は、録画チャネルを含む全てのチャネルの周波数に関する情報となる。このようにすると、例えば、１つの放送しか受信できない地域等で使用する場合に、ユーザがいちいちチャネル設定をせずに全チャネルを設定することができるので、利便性が高い。
【図面の簡単な説明】
【００５４】
【図１】本発明の実施形態に係る情報処理装置及び表示装置のシステム構成例を示す図。
【図２】本発明の実施形態に係る情報処理装置の構成を示す図。
【図３】本発明の実施形態に係る情報処理装置の機能ブロック図。
【図４】本発明の実施形態に係る表示装置の構成を示す図。
【図５】本発明の実施形態に係る情報処理装置及び表示装置の処理の流れを示すフローチャート。
【符号の説明】
【００５５】
１・・・情報処理装置
２・・・表示装置
２Ａ・・・リモートコントローラ
１１・・・ＣＰＵ
１２・・・ノースブリッジ
１３・・・主メモリ
１４・・・グラフィックスコントローラ
１４Ａ・・・ＶＲＡＭ
１５・・・ディスプレイ
１６・・・サウスブリッジ
１７・・・ＢＩＯＳ−ＲＯＭ
１８・・・ＨＤＤ
１９・・・ＯＤＤ
２０・・・サウンドコントローラ
２１・・・スピーカ
２２・・・エンベデッドコントローラ／キーボードコントローラ
２３・・・キーボード
２４・・・タッチパッド
２５・・・ＴＶチューナ
２６・・・ＨＤＭＩコネクタ
２７・・・ＣＥＣコントローラ
１００・・・ＯＳ
１００Ａ・・・ディスプレイドライバ
１０１・・・ＨＤＭＩ−ＣＥＣマネージャ
１０２・・・録画アプリケーション
２０１・・・チューナ
２０３・・・映像処理部
２０５・・・ＨＤＭＩコネクタ
２０７・・・セレクタ
２０９・・・表示出力処理部
２１１・・・表示部
２１３・・・ＣＰＵ
２１５・・・メモリ
２１７・・・ＣＥＣコントローラ
２１９・・・赤外線受光ユニット
２２１・・・操作部
【図１】
2010130642.tif 000003
【図２】
2010130642.tif 000004
【図３】
2010130642.tif 000005
【図４】
2010130642.tif 000006
【図５】
2010130642.tif 000007